(57)【要約】      （修正有）【課題】通常時はコンパクトで邪魔になりにくく簡単に装着できるとともに、緊急時には簡単に操作して確実に浮力を作用させて装着者の生命を保護でき、多くの場面で実用できる水難救助装置を提供する。【解決手段】通常時は手の平に収まるかそれよりやや大きい程度のサイズに収縮され、緊急時には人の身体を水上に浮力支持可能なサイズに膨張する浮袋１４と、身体に着脱可能に取付けられ、収縮状態の浮袋１４を内部に収容する軽量小型ケース体１２と、圧縮ガスを内部に封入し、緊急時に浮袋を膨張駆動させるボンベであって、該浮袋１４の内部に密封して設置されたボンベ４２と、ケース体１２の外部から操作して、浮袋内部のボンベ４２を膨張駆動させる操作装置１７と、を含むことを特徴とする水難救助装置１０から構成される。緊急時には手で操作装置１７を操作して膨張駆動手段１６を駆動させて浮袋１４を膨張させて浮力を作用させる。【選択図】図１
2009083850.tif 000002
【特許請求の範囲】
【請求項１】
通常時は手の平に収まるかそれよりやや大きい程度のサイズに収縮され、緊急時には人の身体を水上に浮力支持可能なサイズに膨張する浮袋と、
身体に着脱可能に取付けられ、収縮状態の浮袋を内部に収容する軽量小型ケース体と、
圧縮ガスを内部に封入し、緊急時に浮袋を膨張駆動させるボンベであって、該浮袋の内部に密封して設置されたボンベと、
ケース体の外部から操作して、浮袋内部のボンベを膨張駆動させる操作装置と、を含むことを特徴とする水難救助装置。
【請求項２】
操作装置は、ケース体の一部を開閉するように該ケース体に対して回動可能に設けられ、通常時は浮袋の収容状態を保持するように閉鎖されるとともに、緊急時には浮袋をケース体外部側へ膨張させるように開放される回動板と、
該回動板に一体的に形成され、通常時はボンベを膨張駆動させない待機位置に位置し、緊急時には回動板とともに回動してボンベ側に向けて進出し浮袋の外部側から該浮袋内部のボンベを膨張駆動する起動片と、を含む請求項１記載の水難救助装置。
【発明の詳細な説明】
【技術分野】
【０００１】
本発明は、身体に装着されて水難時に身体を水上に浮上補助させる水難救助装置に関する。
【背景技術】
【０００２】
水難事故の際に生命を保護するために、救命胴衣や浮輪等の救命用具が種々提案されており、河川、湖沼、海等の水辺及び船上等での作業やレジャー等で広く利用されている。例えば、特許文献１には、身体の胴体部に装着するタイプの水難用救命具が提案されている。特許文献１の水難用救命具は、装着者の胴体に締め付けるベルトに両端を支持した一対の縦帯を両肩に掛けて適宜横帯を介して連結したサスペンダー式の救命具であって、エアバッグとガスボンベを連結する可撓性管に高分子吸水材からなるスペーサーの膨張力にて作動する自動バルブ、手動バルブを介在させて構成されており、水難時にはスペーサーが吸水、膨張して自動的にエアバッグが膨らんで装着者の肩又は首から上を水面に浮上させるものであった。
【特許文献１】特開平９−３０１２７２号公報
【発明の開示】
【発明が解決しようとする課題】
【０００３】
しかしながら、従来の救命胴衣や特許文献１のものは、身体の胴体部分に装着するタイプの水難救命具であるから、嵩張るとともに装着感も悪く、水辺や船上での作業やレジャー等の際に邪魔になりがちであった。また、そのような理由で、水難事故が発生してから装着しようとする場合もあるが、装着に手間がかかったり、事故の状況によっては装着することすら困難なこともあり、手遅れになるおそれがあった。さらに、水難救命具を胴体に装着したままでは、水中では肩又は首周辺に常に浮力がかかったり、救命具に水抵抗がかかったりするので、泳ぐのに邪魔になり、遊泳等には実用できなかった。その結果、例えば、海水浴やスポーツ中の不慮の事故や、ライフセイバーのように溺れかかった人を泳いで救助に行った者が逆に溺れてしまうケースの事故には対応できず、利用場面が限定される問題があった。
【０００４】
本発明は上記従来の課題に鑑みてなされたものであり、その一つの目的は、通常時はコンパクトで邪魔になりにくく簡単に装着できるとともに、緊急時には簡単な操作で浮力を作用させて確実に装着者の生命を保護でき、遊泳やレジャー、作業等多くの場面で実用できる水難救助装置を提供することにある。
【課題を解決するための手段】
【０００５】
上記課題を解決するために本発明は、通常時は手の平に収まるかそれよりやや大きい程度のサイズに収縮され、緊急時には人Ｍの身体を水上に浮力支持可能なサイズに膨張する浮袋１４と、身体に着脱可能に取付けられ、収縮状態の浮袋１４を内部に収容する軽量小型ケース体１２と、圧縮ガスを内部に封入し、緊急時に浮袋を膨張駆動させるボンベであって、該浮袋１４の内部に密封して設置されたボンベ４２ａと、ケース体１２の外部から操作して、浮袋内部のボンベ４２ａを膨張駆動させる操作装置１７と、を含むことを特徴とする水難救助装置１０から構成される。水難救助装置１０は、使用した後に使い捨て、又は再利用できるようにしてもよい。例えば、市販の小型ボンベ等を使用することで、低コストで水難救助装置１０を製造することができる。
【０００６】
また、操作装置１７は、ケース体１２の一部を開閉するように該ケース体１２に対して回動可能に設けられ、通常時は浮袋１４の収容状態を保持するように閉鎖されるとともに、緊急時には浮袋１４をケース体１２外部側へ膨張させるように開放される回動板（１８）と、該回動板（１８）に一体的に形成され、通常時はボンベ４２ａを膨張駆動させない待機位置に位置し、緊急時には回動板（１８）とともに回動してボンベ側に向けて進出し浮袋１４の外部側から該浮袋内部のボンベ４２ａを膨張駆動する起動片６０と、を含むこととしてもよい。
【発明の効果】
【０００７】
本発明の水難救助装置によれば、通常時は手の平に収まるかそれよりやや大きい程度のサイズに収縮され、緊急時には人の身体を水上に浮力支持可能なサイズに膨張する浮袋と、身体に着脱可能に取付けられ、収縮状態の浮袋を内部に収容する軽量小型ケース体と、ケース体に収容されて緊急時に浮袋を膨張駆動させる膨張駆動手段と、ケース体の外部から操作して膨張駆動手段を起動させる操作装置と、を含むことから、人の身体の一部を浮力支持できる浮袋を手の平サイズ等の極めてコンパクトに収縮した状態で軽量小型のケース体に収容するとともに、該ケース体に該浮袋、膨張駆動手段、操作装置等の構成要素を一体的にまとめているので、携帯性を向上させることができ、身体に装着した状態でも邪魔になりにくく、違和感も少ない。したがって、例えば、河川、湖沼、海あるいはプール等の自然又は人工の水辺又は船上等において、遊泳、釣り、調査、サーフィン、その他の種々のレジャー、スポーツ、作業等、様々な場面で広く実用でき、水難発生時には浮袋の浮力により生命を確実に保護することができる。また、船舶や航空機等に備え付けておく場合にも設置場所をとらない。
【０００８】
また、ケース体は、該ケース体の一部を開閉し、通常時は浮袋の収容状態を保持するように閉鎖されるとともに、緊急時には浮袋をケース体外部側へ膨張させるように開放される開閉部を有しており、操作装置は、膨張駆動手段の起動と開閉部の開放とを同時に行わせる起動開放機構を含む構成とすることにより、例えば、溺れかかっているような緊急状態でも、操作装置による１つの操作だけで浮袋の膨張起動とケース体外部への該浮袋の膨張拡大用開口の開放を同時に行わせて、素早くかつ確実に浮袋を膨張させて水上浮力を作用させることができ、実用性が高い。また、浮袋のケース体への収容状態では、開閉部で浮袋を保護することができ、通常時に浮袋が破損したり、浮袋がケース体外部へ不意に脱したりするのを良好に防止できる。
【０００９】
また、ケース体の内部空間を仕切りで分割して浮袋と膨張駆動手段をそれぞれ異なる分割空間に収容させ、浮袋収容空間側にケース体の開閉部を設けるとともに、膨張駆動手段収容空間側に膨張駆動手段の取出し、装着用の開閉扉を取付けた構成とすることにより、例えば、使用後等に開閉蓋を介してボンベ等からなる膨張駆動手段を取り替えて、１つの装置を繰返し使用することができる。また、浮袋が膨張拡大する際にボンベや他の部材が障害になりにくくスムーズかつ確実に浮袋を膨張させることができる。
【００１０】
また、膨張駆動手段は圧縮ガスを封入したボンベからなり、ボンベを浮袋の内部に密封して設置し、操作装置は、緊急時に浮袋の外部側から該浮袋内部のボンベを起動させる構成とすることにより、膨張駆動用のボンベを収縮した浮袋に内蔵してケース体に収容することで、装置全体をコンパクト化でき、より携帯性を向上できる。さらに、ボンベのガスの流出口が直接に浮袋内部空間に臨むこととなりガスの浮袋への供給がスムーズとなり、緊急時の浮袋の膨張駆動を短時間で実現でき水難救命具としての有効性、確実性を向上させる。さらに、浮袋とボンベのガス流出口との連結用の他の部材等を不要とし、部品点数が少ない簡単な構造で低コストで製造できる。
【００１１】
また、操作装置は、ケース体に対して回動可能に設けられてケース体の開閉部となる回動板と、回動板に一体的に形成され、通常時はボンベを起動させない待機位置に位置し、緊急時には回動板とともに回動してボンベ側に向けて進出し浮袋の外部側からボンベを起動操作する起動片と、を含むことから、膨張駆動用のボンベを浮袋内部に設置した構成であっても、操作装置を簡単な構造で具体的に実現できる。
【００１２】
また、起動開放機構は、ケース体の開閉部となる蓋起動板であって、少なくとも数箇所に手掛かり部を有するとともにケース体に対する引き開き操作で開蓋される蓋起動板を含み、該蓋起動板の引き開き操作に膨張駆動手段の起動を連係させた引き開き式起動構造からなる構成とすることにより、数箇所に手掛かり部を有する蓋起動板の構造でケース体に手を伸ばすだけで略確実に蓋起動板に手を掛けることができるとともに、引き開き式起動構造により極めて簡便な蓋起動板の引き開き操作だけで浮袋の起動と開放を行える結果、例えば、溺れかかってパニック状態になりがちな緊急状態でも、素早く、簡便にかつ確実に浮袋の膨張起動操作を行うことができ、実用性が高い。
【００１３】
また、人の腕部にケース体を取付け可能とする取付部材を備えたことから、人の身体に救助装置を簡単に装着させることができるとともに、緊急時には容易に自分の腕部に手を伸ばして操作装置を操作して浮袋を起動させることができる。また、例えば、肩に近い上腕部にケース体を取り付けることで、緊急時には浮袋による浮力を頭の近くに作用させることができ、簡単、コンパクトな構成でも溺れ防止を実現できる。
【発明を実施するための最良の形態】
【００１４】
以下添付図面を参照しつつ本発明の水難救助装置について説明する。本発明の水難救助装置は、例えば、人の身体の腕部等に取付けられ、水難時に浮袋を膨張させて身体に水上への浮力を作用させて生命を保護する水難救命具である。図１ないし図９は、本発明の水難救助装置の第１の参考例を示している。本参考例において、水難救助装置１０は、図１、図２、図３に示すように、ケース体１２と、浮袋１４と、緊急時に浮袋１４を膨張駆動させる膨張駆動装置１６と、操作装置１７と、を含む。
【００１５】
図１、図３に示すように、ケース体１２は、人の腕部等の身体の一部に着脱可能に取付けられる中空の軽量小型ケース体からなる。ケース体１２は、例えば、手の平に収まるかやや大きい程度の携帯可能な小型サイズで設けられている。ケース体１２は、収縮した浮袋１４と膨張駆動装置１６等の装置構成部材を内部収容空間に収容して一体的にユニット化する収容ケース（筐体）である。本参考例では、ケース体１２は、例えば、プラスチック等の硬質、軽量で遮水性のある合成樹脂等の素材からなり、正面視で縦×横の長さが約１０ｃｍ×６ｃｍ程度、厚み（奥行き）が約３ｃｍ程度の直方体状に形成されている。ケース体１２は、正面、背面、右側面、左側面、上面、下面の６面を平板状の外板部で閉鎖し直方体状の内部収容空間を閉鎖している。なお、ケース体１２は、怪我防止のために角部は面取りされるとよい。ケース体の形状は、例えば、正面視で円形状、楕円形状、長丸状、五角形以上の多角形状の箱体または、円筒体や角筒体等の筒体等その他任意の形状でもよい。本参考例では、ケース体１２の内部収容空間は、正面視の左右略中央位置に縦に仕切り２０が設けられて左右に２分割されており、正面視で右方側を浮袋１４を収容する浮袋収容部２２とし、左方側を膨張駆動装置１６を構成するボンベを収容するボンベ収容部２４として、横に並設させている。なお、ケース体１２の内部空間は、上下又は前後に分割等その他任意の分割構成でもよく、また分割せずに１つの空間に浮袋とボンベとを収容してもよい。
【００１６】
本参考例では、図１、図３、図６に示すように、ケース体１２には、外板部の一部を開閉する開閉部が設けられており、通常時は浮袋１４の収容状態を保持するように閉鎖するとともに、緊急時には浮袋１４をケース体外部側へ膨張させるように開放される。開閉部は、ケース体１２の外板部の一部を構成する蓋起動板１８からなる。蓋起動板１８は、正面側外板部の略右半部に設置されており、浮袋収容部２２の正面側全面を開閉する。蓋起動板１８は、手で操作可能に比較的大きく形成された板部材からなり、その周縁部の任意の部位にケース体の外部から手を掛けやすい構造となっている。すなわち蓋起動板１８は、少なくとも数箇所に手掛かり部１９を有した構造となっている。なお、ケース体１２の一部を凹設したり蓋起動板１８の一部を突設させたりして、蓋起動板１８の開蓋動作時の手掛かり部により手を掛けやすくしてもよい。蓋起動板１８は、通常時は閉蓋状態を維持してケース体内部に収容する収縮した浮袋１４を保護しつつ確実に内部に格納保持させておく一方で、外部から強制的に開蓋させた際には開放した開口により膨張する浮袋１４のケース体外部への膨張拡大経路２６を確保する。すなわち、蓋起動板１８による開蓋時のケース体１２の開口が浮袋１４のケース体外部への膨張拡大経路２６となる。さらに、後述のように、蓋起動板１８は、開蓋時に膨張駆動装置１６を起動する操作装置１７を構成しており、さらには開蓋操作時に、膨張駆動装置１６の膨張起動と、浮袋１４の膨張拡大経路確保と、を同時に行わせる起動開放機構２９を構成する。本参考例のように蓋起動板で開閉自在に閉鎖した構成であるから、浮袋をケース体外部へ膨張拡大させるために、ケース体の一部を常時開口させておく構成や、破れやすい素材で覆う構成等に比べて、ケース体１２内に収容している浮袋１４の損傷防止、格納状態の保持及び浮袋のケース体外部への膨張起動させる際の高い確実性を同時に実現できる。図２にも示すように、本参考例では、蓋起動板１８は、例えば、ケース体１２に対して引き開き操作で開放される開き戸式の開閉構造となっており、ケース体１２の下面側に横向きに軸方向を設定した枢支軸回りに回動する。すなわち、蓋起動板１８は、ケース体に対して回動可能に設けられた回動板からなる。さらに、蓋起動板１８は、例えば軸回り起動構造３０等の連係手段を介して、該蓋起動板の引き開き操作に膨張駆動装置１６の起動を連係する引き開き式起動構造３１を構成して操作装置１７の一部となる。枢支軸は、ケース体１２の浮袋収容部２２内部の下面側に一体的に設けられた軸支持部２７に軸回り回転自在に枢支された軸杆部材２８からなる。蓋起動板１８は、平板状の蓋板本体の下方側から略Ｌ字状にケース体側に伸ばした２つのアーム部１８ａを介して軸杆部材２８に固定されており、蓋起動板１８の軸回り回動と同時に該軸杆部材２８が軸回り回動する。図４にも示すように、蓋起動板１８のアーム部１８ａは、ケース体１２の下面の外板部の一部を形成している。図２、図６に示すように、蓋起動板１８は、ケース体１２に対して枢支軸回りに約９０度回動して、膨張拡大する浮袋の邪魔にならないように退避される。なお、後述のように軸杆部材２８は仕切り２０を貫通してボンベ収容部２４内にまで延長されており、軸回り起動構造３０の一部を構成している。さらに、本参考例では、蓋起動板１８とケース体１２の開口との縁部には、図示しないパッキン等が設けられて閉蓋時に内部に水が侵入しない水密封止構造となる。なお、ケース体１２の水密構造は必ずしも必要としないが、水密構造とすることでケース体内部の浮袋やボンベを水から保護できる。
【００１７】
図１、図４に示すように、本参考例では、ケース体１２には、該ケース体１２を人の腕部の所要の位置、例えば肩に近い上腕部の外周位置に密着して取付け可能とする取付部材としての締着ベルト３２を備えている。締着ベルト３２は、例えば、上下２連構成となっており腕部の２箇所を締着する。なお、腕部の一箇所をベルトで締着する構成でもよい。各々の締着ベルト３２は、例えば、可撓性のベルト部材からなり、ケース体１２の背面側の左右両側に一体的に固定されたベルト連結用の第１連結杆部３４、第２連結杆部３６を介して取り付けられている。締着ベルト３２は、一端側３２１を第１連結杆部３４に離脱不可能に連結されつつ、他端側の自由端部側３２２を第２連結杆部３６に着脱可能に連係させて、該締着ベルト及びケース体によって無端状態を形成して、上腕部の外周位置に密着巻き付け状態で取付けられる。締着ベルト３２は、例えば、自由端側３２２を第２連結杆部３６に巻回させる２つ折り重ね合わせ部分に面ファスナ等からなる連結部３８が設けられており、装着者の腕の太さに対応して密着状態で締着される。なお、締着ベルト３２は、長手方向の中間位置をケース体に固定させてその両端部側に面ファスナやホック等の連結部を形成した構成でもよい。締着ベルト３２は、例えば、布、皮革、化学繊維、ビニル樹脂等任意の素材で形成してもよいが、耐水性があるものが好適であり、また、ゴムのように伸縮する素材で形成してもよい。また、連結部をバックル等で締着する構成としてもよい。また、取付部材は例えば、人の腕部に直接取り付ける締着ベルトの構成に限らず、衣服類に取り付ける構成等その他任意の構成でもよい。
【００１８】
図１、図２に示すように、浮袋１４は、通常時は手の平に収まるかそれよりやや大きい程度のサイズに収縮されてケース体１２に収容され、緊急時にはケース体外部で膨張して大きな浮力を作用させ装着者Ｍの身体の一部を水上に浮力支持可能とする浮力手段である。すなわち、浮袋１４は、通常時は極めて小さなサイズで収縮した状態で軽量小型のケース体１２に収容されるとともに、膨張時には人の身体の一部を浮力支持する。本参考例では、浮袋１４は、例えば、薄いポリエチレン、塩化ビニル樹脂、ゴム等の素材から形成された収縮、膨張自在な袋部材からなる。浮袋１４は、収縮された状態でケース体１２の浮袋収容部２２に収容されて、膨張可能なようにケース内壁に固定されている。浮袋１４は、膨張駆動装置１６に供給管４０を介して接続されており、膨張駆動時には膨張駆動装置１６から供給管４０を介して内部にガスが流入、封止されて略球体状等の立体形状に膨張して（図２の二点鎖線）、ケース体１２を装着した身体部位近傍に水上への比較的大きな浮力を作用させる。浮袋１４の膨張時の容量は、例えば、装着者の体格、体重等に対応して該装着者の身体の一部を浮力支持可能なサイズに設定されており、本参考例では、例えば、少なくとも３０００〜５０００ｍｌ程度に設定されている。なお、浮袋の浮力は、水難時の適用場面に応じて設計され、大きな浮力を長時間作用させる必要がある場合には、より大きく設定される。浮袋１４は、例えば、白や黄色、蛍光色等の目立つ色で形成されていると他者に発見されやすい。
【００１９】
図１、図３、図７に示すように、膨張駆動装置１６は、ケース体１２に収容されて緊急時に浮袋１４を膨張駆動させる膨張駆動手段である。本参考例では、膨張駆動装置１６は、例えば、浮袋１４の膨張用の圧縮空気又は圧縮二酸化炭素等のガスを内部に圧縮封入したボンベ４２からなる。ボンベ４２は、閉止栓部により通常時はガスの流出を閉止されており、緊急時には操作装置１７の操作によって閉止栓部を開放させてガスを浮袋へ供給する。ボンベ４２は、ケース体１２の仕切り２０で分割したボンベ収容部２４に収容されており、仕切り２０を横に貫通して配置されている供給管４０を介して浮袋１４と接続されている。ボンベ４２に閉止栓部としての閉止弁４４が一体的に取り付けられており、該閉止弁４４を介設して供給管４０に接続されている。ボンベ４２は、緊急時には、閉止弁４４をボンベ本体側へ押動させることで開弁して供給管４０と内部連通状態となり、ボンベ内部の圧縮ガスを供給管４０を介して浮袋１４内に圧送供給し該浮袋１４を膨張させる。本参考例では、緊急時におけるボンベ４２の膨張起動操作、すなわち閉止弁の開弁操作は、外部からの蓋起動板１８の開蓋動作時の回動に伴って行わせる引き開き式起動構造３１によって実現している。
【００２０】
図１、図７、図８に示すように、操作装置１７は、ケース体１２の外部側から操作してボンベ４２を起動させる起動操作手段である。本参考例では、操作装置１７は、ボンベ４２の起動とケース体の蓋起動板の開放とを同時に行わせる起動開放機構２９を含む。具体的には、該起動開放機構２９は、ケース体１２の開閉部であり引き開き操作で開蓋する蓋起動板１８と、該蓋起動板１８の引き開き開蓋操作にボンベ４２の起動を連係させる連係手段と、を含む引き開き式起動構造３１からなる。連係手段は、蓋起動板１８の回動操作に連係して、ボンベ４２を起動する軸回り起動構造３０を含む。軸回り起動構造３０は、上述のボンベ４２に一体的に取り付けられボンベ本体側へ押動により開弁する閉止弁４４と、軸杆部材２８のボンベ収容部２４内側への延長端部に固定された起動片４６と、を含む。閉止弁４４には、起動片４６に当接して押動力を受けるように広がった張り出し受部４４ａが一体的に形成されている。起動片４６は、例えば、略長方形状の一つの隅角をアール形状としたカム状の板部材又は駒部材からなり一端を軸杆部材２８の端部に固定させて、該軸杆部材２８と共回りし、蓋起動板１８と一体的に回動するようになっている。起動片４６は、通常時である蓋起動板１８の閉蓋時には、図７に示すように横倒し状態となり閉止弁４４から退避され、閉止弁４４の閉止状態すなわちボンベを起動させない状態を維持している。一方、蓋起動板１８を引き開き操作して開蓋した時には図８に示すように軸杆部材２８とともに略９０度回転して縦に起きた状態となり閉止弁４４の張り出し受部４４ａに当接し該閉止弁４４をボンベ本体側へ押動させて、閉止弁４４を開弁させる。これにより、蓋起動板１８の開蓋動作時にボンベを膨張起動させる構成を簡単な構造で実現できる。
【００２１】
さらに、本参考例では、図５に示すように、ケース体１２の背面側の外板部であって、ボンベ収容空間２４側の外板部には、ボンベ４２の取出し、装着用の開閉扉４８が設けられている。開閉扉４８は、例えば、パッキン（図示せず）等により水密封止されており、ビス５０等を介して着脱可能に固定される。例えば、一度緊急時に使用した後でも、開閉扉４８を開いて使用後のボンベ４２を新たなボンベと交換して、水難救助装置を再利用できる。なお、ボンベ４２は、圧縮空気等のガスのみが封入されるものに限らず、例えば、圧縮ガスとともにゴム系エマルジョン（ラテックス）等の孔を塞ぐ物質を封入したものでもよい。この場合、例えば、水難時に使用した後に（又は未使用時でも）浮袋１４が一部損傷して小さな孔が空いている場合でも、ガスによる浮袋膨張時にゴムが孔を塞いで浮袋からのガス漏れを防止し、水上浮力を有効に作用させうる。よって、浮袋のチェックをある程度ラフにしてもよいのでメンテナンスが楽であるとともに、緊急時の浮力作動の確実性をより向上させる。なお、浮袋の損傷の程度に応じて浮袋を交換される。また、ボンベ４２を交換可能として水難救助装置を繰返し利用できる態様に限らず、一度水難時に使用した後には使い捨てできる態様で構成しても良い。この際、例えば、開閉扉４８を設ける必要がなく、構成を簡略化して、比較的低コストで水難救助装置１０を製造できる。
【００２２】
なお、本参考例では、蓋起動板１８は、例えば、ボンベ４２の縦長方向に沿った縦軸回りに回動する構成としてもよく、軸杆部材を設けずにケース体と薄肉部位で一体的に連結して回動させる構成等その他任意の構成でよい。また、蓋起動板１８はケース体１２に対して回動する構成に限らず、例えば、ケース体１２に対してスライドして開閉する構成や、着脱自在に装着されて開閉しケース体から離脱することでケース体を開放する構成としてもよい。いずれの場合でも蓋起動板１８を外部から開蓋動作するのに連係して閉止弁４４の開弁を同時に行わせるその他任意の起動開放機構であると使い勝手がよい。また、例えば、蓋起動板１８の開放とボンベ４２の起動とを、索条、突起片またはリンク機構、歯車機構等その他任意の連係手段を介して連係させる構成でもよい。また、ボンベの閉止弁４４は、例えば、ガス流路に交差して設けられた弁体を弁軸回りに回動させて開閉するものやガス流路に弁体を進出、退避させて開閉する構成等その他任意の構成でもよい。また、閉止弁４４は、ボンベ４２に一体的に取り付けるものに限らず、例えば、供給管４０の中間位置に設けてもよく、浮袋１４のガス流入口に設けることとしてもよい。また、浮袋１４とボンベ４２との接続は、供給管４０を介さずにボンベ４２の閉止栓部分を浮袋１４に直接接続した構成でもよい。この場合、ボンベのガスの流出口が直接に浮袋内部空間に臨むこととなり、浮袋の膨張スピードの向上が期待できる。また後述のようにボンベ４２を浮袋１４内部に設置してもよい。また、ボンベ４２のガスの流出口を閉止する閉止栓構造は、上述のような閉止弁構造に限らず、起動時にボンベ容器の一部に開口用溝を介して破断してガス流出口を開口する容易開封蓋等その他任意の構造でもよい。閉止栓構造に応じて操作装置１７が構成される。また、ケース体１２は、プラスチック等の遮水性のある素材で水密構造となるように設けたが、例えば、厳密な水密構造としなくてもよく、通水性のある構造でケース体を形成してもよい。
【００２３】
次に、図９も参照しつつ、本参考例に係る水難救助装置１０の作用について説明する。例えば、海等で遊泳する前や船に乗り込む際に本参考例に係る水難救助装置１０を締着ベルト３２を介して装着者の肩に近い上腕部に密着して取付ける。装置の装着は締着ベルトにより簡単に行なえるとともに、ケース体１２が軽量小型であるので、遊泳や作業等の邪魔になりにくいうえ、装着時の違和感も少ない。図９に示すように、例えば、溺れかかる等の水難事故が発生した際には、装置を装着していない腕部側の手で蓋起動板１８を引き開き開蓋操作する。この蓋起動板１８の開蓋動作により、図２に示すように、ケース体１２の浮袋収容部２２側を開口して内部に収容している浮袋１４の外部への膨張拡大経路を確保する。これと同時に、図８に示すように、蓋起動板１８の枢支軸周りの開蓋動作に伴って起動片４６が上向きに回動して、ボンベ４２に取り付けられている閉止弁４４に当接し閉止弁４４をボンベ本体側に押動して閉止弁を開弁させる。閉止弁４４が開弁されることにより、ボンベ内部の圧縮ガスが供給管４０を介して浮袋１４内に圧送供給されて該浮袋１４を膨張拡大させる。これにより、図９に示すように、膨張した浮袋１４より、装着者Ｍの上腕部近傍に比較的大きな浮力を作用させて身体が沈むのを防止し、装着者Ｍの生命を保護することができる。このようにケース体１２の一部を構成している蓋起動板１８の引き開き開蓋操作といった手操作だけで簡便に起動できるので、溺れかかったような緊急状態であってもケース体装着位置を大まかに把握しておくだけで素早く蓋起動板に手を掛けて簡単かつ確実に操作できる。同時に、蓋起動板１８の開蓋操作により、浮袋１４の膨張起動とケース体１２の閉鎖された浮袋収容空間から外部への膨張拡大経路の確保が同時に行われるので、確実かつ円滑に浮袋を膨張させて水上浮力を作用させることができる。なお、水難時に使用された後には、ケース体１２の開閉蓋４８を取り外してボンベ４２を交換し、再び開閉蓋４８を閉鎖して再利用できる。
【００２４】
次に、図１０を参照しつつ本発明の水難救助装置の第２の参考例について説明する。第１参考例と同一部材には同一符号を付し、その詳細な説明は省略する。図１０に示すように、本参考例に係る水難救助装置１０ａは、第１の参考例と略同じ構成であるが、ケース体１２及び蓋起動板１８の構成が若干異なっている。本参考例では、蓋起動板１８は、浮袋収容部２２とボンベ収容部２４の両方を含む部分、すなわち、ケース体１２の正面側の外板部全体を開閉するように設けられている。この第２参考例でも第１参考例同様に、携帯性がよく、緊急時には蓋起動板１８を引き開き操作して素早く、簡便にかつ確実に起動させて浮袋１４を膨張させることができる等の作用効果を奏する。また、第１参考例のものと比較して蓋起動板１８を大きく構成できるので手掛かり部となる部位を十分に確保でき、浮袋の起動操作の操作性及び確実性の向上を図れる。
【００２５】
次に、図１１ないし図１５を参照しつつ本発明の水難救助装置の好適な一実施形態について説明する。第１参考例と同一部材には同一符号を付し、その詳細な説明は省略する。図１１、図１２、図１３に示すように、本実施形態に係る水難救助装置１０ｂは、第１参考例と略同じ構成であり、ケース体１２と、浮袋１４と、ボンベ４２ａからなる膨張駆動装置１６と、操作装置１７と、を含むが、ボンベ４２ａを浮袋１４の内部に設置されている点が異なっている。よって、操作装置１７は、ケース体１２外部からボンベを起動操作する際に、浮袋１４の外部側から該浮袋を破ることなく内部のボンベ４２ａを起動可能に設けられる。
【００２６】
図１３、図１４に示すように、本実施形態では、ボンベ４２ａは、収縮した浮袋１４の内部に密封された状態で、浮袋１４とともにケース体１２の収容内部に固定設置されている。ボンベ４２ａには、ボンベ下方側の端面全体を閉鎖している閉鎖端壁５２の一部に凹設された開口用溝５４が刻設されており、開口用溝５４に囲まれる開片部５６に強い押圧力を加えて該開片部５６を破断して開封する容易開封蓋（イージーオープン型蓋）５８が設けられている。本実施形態では、開口用溝５４は、長丸状に形成されて開片部５６が切り取られるように形成されている。なお、開口用溝５４を例えば、円弧状に形成して、該開口用溝５４から破断して開口した際に開片部５６がボンベ内側に折り曲って残る構造でもよい。操作装置１７は、引き開き式起動構造３１ａからなる起動開放機構２９を含む構成であり、具体的には、ケース体１２に対して回動する開閉部としての蓋起動板１８と、蓋起動板１８に一体的に設けられ緊急時にボンベを起動する起動片６０と、を含む。ボンベの容易開封蓋５８と起動片６０とは軸回り起動構造３０を構成する。蓋起動板１８は、ケース体１２の正面側の外板部全体を開閉するように設けられており、ケース体１２の下方側に横向きに設定されて支持された軸杆部材６２回りに回動する。起動片６０は、蓋起動板１８の下端側から略Ｌ字状方向に延設され軸杆部材６２に連結するアーム部１８ａからさらに延長されて形成されている。起動片６０の先端側にはケース体内側に向けて突出したアール状の突起が形成されており、浮袋１４を破ることなく浮袋外側から開片部５６を押圧する。なお、起動片６０は、ケース体１２の下面側の外板部の一部を形成している。図１３に示すように、起動片６０は、通常時すなわち蓋起動板１８の閉鎖時はボンベ４２ａを起動させない待機位置に位置する。図１５に示すように、緊急時には蓋起動板１８の引き開き操作に伴って起動片６０は蓋起動板１８とともに回動してボンベの閉鎖端壁５４に向けて進出する。そして、浮袋１４の外部側から該浮袋ごと該ボンベ４２ａの開片部５６をボンベ内側に向けて押し込み、開口用溝５４から破断して開口してボンベ内部の圧縮ガスを浮袋１４内に供給させて膨張起動する。なお、浮袋１４の起動片６０が当たる部位は、破れにくいように、若干厚めに形成されたり、合成樹脂膜やゴム、その他生地等を当て布状に張設したりするとよく、その他任意の構造で浮袋の破損を防止するとよい。
【００２７】
本実施形態では、参考例同様に、携帯性が良いとともに、水難発生時に簡便かつ素早く浮袋を膨張起動させることができる等の作用効果を奏する。特に本実施形態では、浮袋１４の膨張駆動用のボンベ４２ａを浮袋１４内部に密封して設置したので、ケース体１２にボンベと浮袋１４とを別々の収容部に分けた構成とするより、ケース体１２をより小さく形成することが可能となり、携帯性が向上する。さらに、ボンベ４２ａの開封時に、ボンベのガスの流出口が直接に浮袋内部空間に臨むこととなり、浮袋１４の膨張スピードを向上させる結果、より救命具の有効性、確実性を向上させる。さらに、容易開封蓋５８の構造でボンベの閉止栓部を簡単な構成で実現できるとともに、浮袋１４とボンベ４２ａとを連結する供給管等の別部材等を不要とし、部品点数が少ないシンプルな構造で低コストで製造できる。
【００２８】
以上説明した本発明の水難救助装置は、上記した実施形態のみの構成に限定されるものではなく、特許請求の範囲に記載した本発明の本質を逸脱しない範囲において、任意の改変を行ってもよい。
【産業上の利用可能性】
【００２９】
本発明の水難救助装置は、例えば、河川、湖沼、海あるいはプールや遊戯施設等の自然又は人工の水辺又は船上等において、遊泳、釣り、遊覧観光、クルージング、水上ツーリング、キャンプ、水上監視、漁、水難救助作業、水質や生物等の調査、サーフィン、水上バギー、トライアスロン、その他のレジャー、スポーツや作業等に際に常時装着して、水難事故発生時等の緊急時に作動される。また、船舶や航空機等に備え付けておき、事故発生後に船舶や航空機から水へ脱出、避難する際の救命具としても利用できる。
【図面の簡単な説明】
【００３０】
【図１】本発明の水難救助装置の第１参考例の概略斜視図である。
【図２】図１の水難救助装置の蓋起動板を開いた状態の図及び作用説明図である。
【図３】図１の水難救助装置のケース体の一部切り欠いて内部を見せた状態の正面図である。
【図４】図１の水難救助装置の底面説明図である。
【図５】図１の水難救助装置のケース体の背面図である。
【図６】図３のＡ−Ａ線断面図である。
【図７】図３のＢ−Ｂ線断面図である。
【図８】図７に示す起動開放機構の作用説明図である。
【図９】図１の水難救助装置の作用説明図である。
【図１０】水難救助装置の第２の参考例の概略斜視説明図である。
【図１１】本発明の一実施形態に係る水難救助装置の一部切欠いて下方側から見た斜視図である。
【図１２】図１１の水難救助装置のケース体の一部切り欠いて内部を見せた正面図である。
【図１３】図１３のＣ−Ｃ線断面図である。
【図１４】図１３のＤ−Ｄ線断面図である。
【図１５】図１１の水難救助装置の作用説明図である。
【符号の説明】
【００３１】
１０    水難救助装置
１２    ケース体
１４    浮袋
１６    膨張駆動装置
１７    操作装置
１８    蓋起動板
２０    仕切り
２２    浮袋収容部
２４    ボンベ収容部
２６    膨張拡大経路
２８    軸杆部材
２９    起動開放機構
３１、３１ａ    引き開き式起動構造
３２    締着ベルト
４２、４２ａ    ボンベ
４８    開閉扉
６０    起動片
【図１】
2009083850.tif 000003
【図２】
2009083850.tif 000004
【図３】
2009083850.tif 000005
【図４】
2009083850.tif 000006
【図５】
2009083850.tif 000007
【図６】
2009083850.tif 000008
【図７】
2009083850.tif 000009
【図８】
2009083850.tif 000010
【図９】
2009083850.tif 000011
【図１０】
2009083850.tif 000012
【図１１】
2009083850.tif 000013
【図１２】
2009083850.tif 000014
【図１３】
2009083850.tif 000015
【図１４】
2009083850.tif 000016
【図１５】
2009083850.tif 000017